(57)【要約】      （修正有）【課題】ユーザと他のユーザとの間の取引を容易にする。【解決手段】遠隔位置におけるサーバによって、ユーザのユーザデバイス上にアプリケーションをロードする、アプリケーションが、ユーザによって販売用に提供された一つ以上の品目および／もしくはサービスを含む在庫をユーザがアップロードすることを可能にするのと同様に、他のユーザの近傍にユーザが来たときに、一人以上の他のユーザによって販売用に提供された他の在庫をユーザデバイス上で閲覧することを可能にし、ユーザデバイスに保持された在庫リストは、ユーザデバイスによって閲覧される他の在庫で継続的にアップデートされる、ステップと、遠隔位置におけるサーバによって、ユーザデバイス上の在庫リストに関連する取引の実施に対応付けられた取引情報を受信するステップと、ユーザデバイスを介して、ユーザと他ユーザとの間の前記取引を容易にするステップと、を含む。【選択図】図２Ａ
2016103290.tif 000002
【特許請求の範囲】
【請求項１】
命令を格納する非一時的メモリと、
前記非一時的メモリに結合され、前記非一時的メモリから前記命令を読み出して
第１のデバイスを少なくとも部分的に介して、前記第１のデバイスの第１のユーザによる販売用の品目の第１のリストを提供し、
前記第１のデバイスが第１の位置の近くにいることを検出し、
前記第１のデバイスにより前記検出に応答して、前記第１の位置での販売に利用可能な品目の第２のリストを取得し、
前記第１のリスト上の品目と前記第２のリスト上の品目とを含む品目の第３のリストを作成すること
を含む動作をシステムに実行させるように構成された１つ以上のハードウェアプロセッサと
を含む、システム。
【請求項２】
前記第１のデバイスはスマートフォンを含む、請求項１に記載のシステム。
【請求項３】
販売に提供される前記品目は商品又はサービスを含む、請求項１に記載のシステム。
【請求項４】
前記第３のリスト上の前記品目の少なくとも一部は前記第１のリスト上にはない、請求項１に記載のシステム。
【請求項５】
前記動作は、前記第１のデバイスを少なくとも部分的に介して、品目の前記第３のリストをアクセス可能にすることを更に含む、請求項１に記載のシステム。
【請求項６】
前記検出することは、前記第１の位置に位置する第２のデバイスであって、第２のユーザによる販売に利用可能な品目の前記第２のリストを含む前記第２のデバイスのＢＬＵＥＴＯＯＴＨの範囲内又は前記第２のデバイスとのＷｉＦｉ通信内に前記第１のデバイスがいることを検出することを含み、
前記取得することは、品目の前記第２のリストを前記第２のデバイスから前記第１のデバイスにより取得することを含む、
請求項１に記載のシステム。
【請求項７】
前記動作は、前記第１のデバイスにより前記第３のリストを前記第２のデバイスへ通信することを更に含む、請求項６に記載のシステム。
【請求項８】
前記動作は、
第３のユーザにより販売に提供される品目についての情報であって、第１の解像度での前記品目の写真を含む前記情報を前記第１のデバイスにより受信し、
前記第３のユーザにより販売に提供される前記品目に関する更新情報を取得する要求を前記第１のユーザから受信し、
前記第１のユーザを前記第３のユーザに誘導する方向を前記第１のデバイスを介して通信すること
を更に含む、請求項６に記載のシステム。
【請求項９】
前記動作は、
前記第３のデバイスのＢＬＵＥＴＯＯＴＨの範囲内又は前記第３のデバイスとのＷｉＦｉ通信内に前記第１のデバイスがいることを前記第１のデバイスを介して検出し、
前記第３のデバイスの前記ＢＬＵＥＴＯＯＴＨの範囲内又は前記第３のデバイスとのＷｉＦｉ通信内に前記第１のデバイスがいることを検出することに応じて、前記第１の解像度よりも高い第２の解像度での前記品目の前記写真を含む前記品目に関する前記更新情報を前記第１のデバイス上に入手すること
を更に含む、請求項８に記載のシステム。
【請求項１０】
第１のデバイスを少なくとも部分的に介して、前記第１のデバイスの第１のユーザによる販売用の品目の第１のリストを提供し、
第２のユーザの第２のデバイスのＷｉＦｉの範囲内又はＢＬＵＥＴＯＯＴＨの範囲内に前記第１のデバイスがいることを前記第１のデバイスを介して検出し、
前記第２のデバイスから前記第１のデバイスにより前記検出に応答して、前記第２のユーザにより販売に提供される品目の第２のリスト第２のリストを取得し、
前記第１のリスト上の品目と前記第２のリスト上の品目とを含む品目の第３のリストを作成すること
を含む、方法。
【請求項１１】
前記第１のデバイスはスマートフォンを含む、請求項１０に記載の方法。
【請求項１２】
販売に提供される前記品目は商品又はサービスを含む、請求項１０に記載の方法。
【請求項１３】
前記第３のリスト上の前記品目の少なくとも一部は前記第１のリスト上にはない、請求項１０に記載の方法。
【請求項１４】
前記第１のデバイスを少なくとも部分的に介して品目の前記第３のリストをアクセス可能にすることを更に含む、請求項１０に記載の方法。
【請求項１５】
第３のユーザの第３のデバイスのＷｉＦｉの範囲内又はＢＬＵＥＴＯＯＴＨの範囲内に前記第１のデバイスがいることを前記第１のデバイスを介して検出し、
前記第３のデバイスの前記ＷｉＦｉの範囲内又は前記ＢＬＵＥＴＯＯＴＨの範囲内に前記第１のデバイスがいることを検出することに応じて、前記第１のデバイスにより前記第３のデバイスから、前記第３のユーザにより販売に提供される品目の第４のリストを取得し、
前記第１のリスト上にも前記第２のリスト上にもなかった前記第４のリスト上にある品目含むために品目の前記第３のリストを更新すること
を更に含む、請求項１０に記載の方法。
【請求項１６】
前記第３のリストを前記第２のユーザの前記第２のデバイスへ通信することを更に含む、請求項１０に記載の方法。
【請求項１７】
第３のユーザにより販売に提供される品目についての情報であって、第１の解像度での前記品目の写真を含む前記情報を前記第１のデバイスにより受信し、
前記第３のユーザにより販売に提供される前記品目に関する更新情報を取得する要求を前記第１のユーザから受信し、
前記第１のユーザを前記第３のユーザに誘導する方向を前記第１のデバイスを介して通信すること
を更に含む、請求項１０に記載の方法。
【請求項１８】
前記第３のデバイスのＷｉＦｉの範囲内又はＢＬＵＥＴＯＯＴＨの範囲内に前記第１のデバイスがいることを前記第１のデバイスを介して検出し、
前記第３のデバイスの前記ＷｉＦｉの範囲内又はＢＬＵＥＴＯＯＴＨの範囲内に前記第１のデバイスがいることを検出することに応じて、前記第１の解像度よりも高い第２の解像度での前記品目の前記写真を含む前記品目に関する前記更新情報を前記第１のデバイス上に入手すること
を更に含む、請求項１７に記載の方法。
【請求項１９】
ユーザデバイスで保持された在庫リストを、前記ユーザデバイスにより閲覧された在庫であって、前記ユーザデバイス上で閲覧された前記在庫があった以前の位置又は現在の位置に添付されている前記在庫で更新し、
前記ユーザデバイスの近接範囲内の１つ以上の他のユーザデバイス上に保持される在庫と、前記在庫リストを比較し、
新たな在庫が、前記１つ以上の他のユーザデバイス上に保持される前記在庫中には存在するが、前記ユーザデバイスの前記在庫リスト中には存在しない場合に、前記新たな在庫を前記ユーザデバイスの前記在庫リストに追加すること
を含む、方法。
【請求項２０】
前記１つ以上の他のユーザデバイスの近傍に前記ユーザデバイスのユーザが来ると販売に提供される、１つ以上の他のユーザデバイス上に保持された前記在庫を前記ユーザデバイス上に表示することを更に含む、請求項１９に記載の方法。
【発明の詳細な説明】
【技術分野】
【０００１】
本開示の実施形態は、概して取引に関し、より詳細には、販売者近傍におけるユーザデバイスを介して行われる取引用の方法およびシステムに関する。
【背景技術】
【０００２】
顧客は、通常、インターネットなどの通信ネットワークを介してオンライン販売者から製品および／もしくはサービスを購入するために検索して、支払をする。ときには、顧客は、販売者所在地において取引を行い、取引カードもしくは現金を支払用に利用する。日常的に、顧客は、彼らのモバイルデバイスを使用することによって、種々の販売者と取引を行う。しかしながら、このような取引および支払において実施する典型的な方法は、煩雑かつ不便であることがある。例えば、顧客は、販売者所在地における取引に関連する支払用に十分な現金を持っていないこともあるし、または、販売者は支払用にクレジットカードの使用のために準備されていないことがある。電子取引においては、インターネットを介して支払を行う一般的な方法は、クレジットカードの利用を含む。クレジットカードの利用は、例えば、購入の度にユーザにクレジットカード情報の入力を要求するため不便であり、モバイルデバイスを利用する際には、特に煩雑になりうる。したがって、取引を行う簡便な方法の必要性が存在する。
【発明の概要】
【０００３】
以下に、種々の実施形態に関連して本明細書に記述されるように、ユーザデバイスを介して実施される取引用の方法およびシステムが提供され、それによって、販売者近傍へユーザが来たときに、ユーザが容易に取引を実施することが可能になる。
【０００４】
本開示の一実施形態に従うシステムは、命令を格納する非一時的メモリと、前記非一時的メモリに結合され、前記非一時的メモリから前記命令を読み出して第１のデバイスを少なくとも部分的に介して、前記第１のデバイスの第１のユーザによる販売用の品目の第１のリストを提供し、前記第１のデバイスが第１の位置の近くにいることを検出し、前記第１のデバイスにより前記検出に応答して、前記第１の位置での販売に利用可能な品目の第２のリストを取得し、前記第１のリスト上の品目と前記第２のリスト上の品目とを含む品目の第３のリストを作成することを含む動作をシステムに実行させるように構成された１つ以上のハードウェアプロセッサとを含む。
【０００５】
本開示の別の実施形態に従う方法は、第１のデバイスを少なくとも部分的に介して、前記第１のデバイスの第１のユーザによる販売用の品目の第１のリストを提供し、第２のユーザの第２のデバイスのＷｉＦｉの範囲内又はＢＬＵＥＴＯＯＴＨの範囲内に前記第１のデバイスがいることを前記第１のデバイスを介して検出し、前記第２のデバイスから前記第１のデバイスにより前記検出に応答して、前記第２のユーザにより販売に提供される品目の第２のリスト第２のリストを取得し、前記第１のリスト上の品目と前記第２のリスト上の品目とを含む品目の第３のリストを作成することを含む。
【０００６】
本開示の別の実施形態に従う方法は、ユーザデバイスで保持された在庫リストを、前記ユーザデバイスにより閲覧された在庫であって、前記ユーザデバイス上で閲覧された前記在庫があった以前の位置又は現在の位置に添付されている前記在庫で更新し、前記ユーザデバイスの近接範囲内の１つ以上の他のユーザデバイス上に保持される在庫と、前記在庫リストを比較し、新たな在庫が、前記１つ以上の他のユーザデバイス上に保持される前記在庫中には存在するが、前記ユーザデバイスの前記在庫リスト中には存在しない場合に、前記新たな在庫を前記ユーザデバイスの前記在庫リストに追加することを含む。
【０００７】
本開示の実施形態のこれらのおよび他の特徴および利点は、添付の図面と併せて以下に説明された実施形態の詳細な説明から容易に明らかとなるであろう。
【図面の簡単な説明】
【０００８】
【図１】本開示の一実施形態に従う、サービスプロバイダを利用する取引システムのブロック図である。
【図２Ａ】本開示の一実施形態に従い、ユーザデバイスを利用する取引を容易にするためのフロー図である。
【図２Ｂ】本開示の一実施形態に従い、アドホックベースで、販売用の在庫をアップデートするためのフロー図である。
【図３】本開示の一実施形態に従い、ユーザデバイスのユーザインターフェイスを介して実施される取引のブロック図である。
【図４】本開示の一実施形態に従い、デバイスを実現するためのシステムのブロック図である。
【０００９】
異なる図面における類似する構成要素の番号は、同一もしくは類似の構成要素を表す。
【発明の詳細な説明】
【００１０】
本明細書で記述された種々の実施形態に従い、方法およびシステムは、ユーザがユーザデバイスを介した取引を容易に実施することを可能にするように提供される。サービスプロバイダからユーザデバイス上にロードされうる取引アプリケーションは、ユーザが一人以上の販売者近傍へと来た時に、例えば、提示価格、写真、説明、アイコンおよび／もしくは他の適切な識別子の記載された（複数の）販売者の在庫を含む（複数の）販売者からの提供をユーザが見る、もしくは閲覧することを可能にする。このように、ユーザデバイスは、（複数の）販売者の在庫のデジタル表現を表示してもよい。ユーザスは、ユーザが（複数の）販売者近傍にいるときに、（複数の）販売者によって提供された品目および／もしくはサービスを購入して、そのための支払をすることがある。他の実施形態においては、ユーザは販売者であって、販売用の在庫をアップロードすることがある。在庫リストは、保持され、かつ、利用可能な品目および／もしくはサービスの新規ユーザおよび新規在庫リストで継続的にアップデートされてもよい。取引アプリケーションは、ＰａｙＰａｌおよび／もしくはＳａｎＪｏｓｅ，ＣＡのｅＢａｙなどのサービスプロバイダによって提供されてもよい。
【００１１】
好都合なことには、販売者近傍であるユーザ位置から、サービスプロバイダに対応付けられた（もしくはアクティブな取引アプリケーションを有する）当該販売者との取引をユーザが安全かつ容易に実施しうる。例えば、ユーザが、販売者位置前もしくはホットスポットＷｉＦｉもしくはＢｌｕｅｔｏｏｔｈ範囲内などの販売者近傍に位置するため、当該ユーザは、ユーザデバイスを介して販売者によって提供された品目および／もしくはサービスを購入し、支払をすることを決定してもよい。ユーザは、その後、現金取引と比較して、単純、便利および迅速な方法でユーザデバイスを介して支払を移転してもよい。
【００１２】
販売者の視点から、サービスプロバイダに対応付けられた販売者もしくはアクティブな取引アプリケーションを有する販売者は、ポイントオブセールス（ＰＯＳ）マシン、ラップトップコンピュータもしくは他のコンピューティングデバイスなどの必要なく、電子支払などの取引を簡略化し、それによってさらなる商品ディスプレイ用に空間を解放する。このことは、例えば、アートフェスティバル、コンサート、都市もしくは地域の祭り、スポーツイベントなどを準備する販売者を含む、移動販売者に対して有効である可能性がある。さらに、このことは、電力もしくはインターネットアクセスを有することに不自由な結果として、典型的に“現金のみ”の場である可能性のある販売者にとって有効でありうる。このような“現金のみ”の場は、本開示の一つ以上の実施形態に従う、ユーザデバイス上で行われる支払をすることによって、取引を容易に実施する可能性がある。
【００１３】
これから図面を参照するが、当該図面は本開示の実施形態を図示する目的のためだけのものであって、それを限定する目的のためのものではない。図１は、本開示の一実施形態に従う、サービスプロバイダを利用する取引システムのブロック図である。
【００１４】
図１は、ネットワーク１６０を介してユーザデバイス１２０を介する取引を容易にするように適合されたシステム１００のブロック図の一実施形態を示す。図１に示されたように、システム１００は、ネットワーク１６０を介して通信する、少なくとも一つのユーザデバイス１２０（例えばネットワークコンピューティングデバイス）、一つ以上の販売者サーバもしくはデバイス１４０（例えば、ネットワークサーバデバイス）、少なくとも一つのサービスプロバイダサーバもしくはデバイス１８０（例えば、ネットワークサーバデバイス）を含む。
【００１５】
一実施形態においては、ネットワーク１６０は、単一ネットワークもしくは複数のネットワークの組み合わせとして実装されてもよい。例えば、種々の実施形態においては、ネットワーク１６０は、インターネットおよび／もしくは一つ以上のイントラネット、ランドラインネットワーク、ワイヤレスネットワークおよび／もしくは他の適切なタイプの通信ネットワークを含んでもよい。別の実施例においては、ネットワーク１６０は、インターネットなどの他の通信ネットワークと通信するように適合されたワイヤレス遠距離通信ネットワーク（例えば、携帯電話ネットワーク）を含んでもよい。このように、種々の実施形態においては、ユーザデバイス１２０、販売者サーバもしくはデバイス１４０、サービスプロバイダサーバもしくはデバイス１８０は、特定のリンク（例えば、ＵＲＬ（統一資源ロケータ）などのＩＰ（インターネットプロトコル）アドレスへのリンク）に対応付けられてもよい。
【００１６】
ユーザデバイス１２０は、種々の実施形態においては、ネットワーク１６０を介する有線および／もしくはワイヤレス通信用に構成されたハードウェアおよび／もしくはソフトウェアの任意の適切な組み合わせを利用して実装されてもよい。種々の実施例においては、ユーザデバイス１２０は、ワイヤレス電話（例えば携帯電話、モバイルなど）、スマートフォン、携帯情報端末（ＰＤＡ）、パーソナルコンピュータ、ノートブックコンピュータ、および／もしくは種々の他の一般的に既知のタイプの有線および／もしくはワイヤレスコンピューティングデバイスとして実装されてもよい。ユーザデバイス１２０は、本開示の範囲から逸脱することなく、クライアントデバイスもしくは顧客デバイスと称されてもよいことを理解されたい。
【００１７】
一実施形態においては、ユーザデバイス１２０は、ユーザインターフェイスアプリケーション１２２を含む。ユーザインターフェイスアプリケーション１２２は、ネットワーク１６０を介してサービスプロバイダサーバ１８０との金融取引（例えば、買い物、購入、入札など）などの取引を実施するために、ユーザ１０２によって使用されてもよい。一態様においては、購入費用は、本明細書で記述された方法で、ユーザインターフェイスアプリケーション１２２を介して、ユーザ１０２に関連する口座から直接および／もしくは自動的に借方記入されてもよい。
【００１８】
ある実施においては、ユーザインターフェイスアプリケーション１２２は、ネットワーク１６０を介してサービスプロバイダサーバ１８０とインターフェイスで接続して通信するように構成されたプロセッサによって実行可能である、グラフィカルユーザインターフェイス（ＧＵＩ）などのソフトウェアプログラムを含む。別の実施においては、ユーザインターフェイスアプリケーション１２２は、ネットワーク１６０上で使用可能な情報を閲覧するためのネットワークインターフェイスを提供するブラウザモジュールを含む。例えば、ユーザインターフェイスアプリケーション１２２は、部分的には、ネットワーク１６０上で使用可能な情報を閲覧するためのウェブブラウザとして実装されてもよい。別の実施例においては、ユーザ１０２は、購入用の品目および／もしくはサービスを閲覧して選択するために、一つ以上の販売者サーバもしくはデバイス１４０を介して販売者ウェブサイトもしくは在庫リストにアクセスすることができ、ユーザ１０２は、サービスプロバイダサーバ１８０を介して、一つ以上の販売者サーバもしくはデバイス１４０から品目および／もしくはサービスを購入することができる。したがって、ユーザ１０２は、サービスプロバイダサーバ１８０を介して、一つ以上の販売者サーバもしくはデバイス１４０から金融取引などの取引を実施（例えば、品目および／もしくはサービスを閲覧、購入、支払）してもよい。
【００１９】
ユーザデバイス１２０は、種々の実施形態においては、ユーザ１０２に対して利用可能なさらなる特徴を提供するために、本開示の一つ以上の実施形態において所望されるように、他のアプリケーション１２８を含んでもよい。一実施例においては、このような他のアプリケーション１２８は、クライアント側のセキュリティ特性を実現するためのセキュリティアプリケーション、ネットワーク１６０上の適切なアプリケーションプログラミングインターフェイス（ＡＰＩ）をインターフェイスで接続するためのプログラマチッククライアントアプリケーション、および／もしくは種々の他のタイプの一般的に既知のプログラムおよび／もしくはソフトウェアアプリケーションを含んでもよい。さらに他の実施例においては、他のアプリケーション１２８は、効率および利便性を改善するためのユーザインターフェイスアプリケーション１２２とインターフェイスで接続されてもよい。
【００２０】
一つ以上の実施形態に従い、ユーザインターフェイスアプリケーション１２２もしくは他のアプリケーション１２８は、サービスプロバイダサーバ１８０によってユーザデバイス１２０上にロードされうる取引アプリケーションを含む。このような取引アプリケーションは、ユーザ１０２が販売者近傍に来たとき、記載された在庫を有する、サービスプロバイダサーバ１８０に対応付けられた販売者をユーザ１０２が閲覧することを可能にする。ユーザ１０２は、その後、ユーザデバイス１２０上の販売者によって提供された品目および／もしくはサービスを購入し、容易にその支払をすることを決定してもよい。種々の実施形態においては、取引アプリケーションは、ユーザ１０２を購入者にすることもできるし、販売者にすることもできる。すなわち、平均的ユーザとして、ユーザ１０２は、以下により詳細に記述されるように、フリーマーケットに入って、販売用に提供される在庫をアップロードしてもよい。
【００２１】
一実施形態においては、ユーザデバイス１２０は、少なくとも一つのユーザ識別子１３０を含んでもよい。ユーザ識別子１３０は、例えば、オペレーティングシステムレジストリエントリ、ユーザインターフェイスアプリケーション１２２に対応付けられたクッキー、ユーザデバイス１２０のハードウェアに対応付けられた識別子、もしくは種々の他の適切な識別子として実現されてもよい。ユーザ識別子１３０は、ユーザ１０２に関連する（例えば、一つ以上のユーザ名、パスワード、写真画像、生体認証ＩＤ、住所、電話番号など）個人情報、銀行情報、および／もしくは資金源（例えば、一つ以上の金融機関、クレジットカード発行者、ユーザ口座番号、セキュリティデータおよび情報など）などの、ユーザ１０２に関連する一つ以上の属性を含んでもよい。種々の実施においては、ユーザ識別子１３０は、ネットワーク１６０を介してサービスプロバイダサーバ１８０に対するユーザログイン要求で承認され、ユーザ識別子１３０は、本明細書で記述された方法で、サービスプロバイダサーバ１８０によって保持された特定のユーザアカウントとユーザ１０２を対応付けるために、サービスプロバイダサーバ１８０によって利用されてもよい。
【００２２】
種々の実施形態においては、一つ以上の販売者サーバもしくはデバイス１４０は、一つ以上の個人主体（エンティティ）もしくはビジネス主体によって（もしくは、幾つかの場合においては、ビジネス主体のために取引を処理するビジネス主体のパートナーによって）維持されてもよい。個人主体もしくはビジネス主体は、本開示の範囲を逸脱することなく、“販売者”もしくは“商店主”とも称されてもよいことを理解されたい。販売者の例は、購入および支払用の種々の品目および／もしくはサービスを提供する個人のサイト、商店主のサイト、資源情報サイト、ユーティリティサイト、不動産管理サイト、ソーシャルネットワーキングサイトなどを含む。幾つかの実施形態においては、販売者は、ネットワーク１６０上のユーザ１０２に対する品目および／もしくはサービス提供の一部として、ユーザ識別情報の登録を必要としてもよい。このように、一つ以上の販売者サーバ１４０の各々は、利用可能な品目および／もしくはサービスを識別するための販売者データベース１４２を含んでもよく、販売者データベース１４２は、ユーザ１０２によって閲覧および購入するためにユーザデバイス１２０に対して利用可能にしてもよい。本実施形態においてはユーザ・販売者取引が図示されているが、本システムは、ユーザ・ユーザ、販売者・販売者および／もしくは販売者・ユーザ取引に対して適用可能であってもよいことを理解されたい。幾つかの実施形態においては、任意のユーザは販売者であってもよいし、購入者であってもよい。
【００２３】
一実施形態においては、販売者サーバもしくはデバイス１４０の各々は、市場アプリケーション１４４を含んでもよく、市場アプリケーション１４４は、ユーザデバイス１２０のユーザインターフェイスアプリケーション１２２へとネットワーク１６０上の情報を提供するように構成されてもよい。例えば、ユーザ１０２は、販売者データベース１４２における購入が可能な種々の品目および／もしくはサービスを検索して閲覧するために、ネットワーク１６０上のユーザインターフェイスアプリケーション１２２を介して市場アプリケーション１４４と対話してもよい。本開示の一つ以上の実施形態に従い、販売者データベース１４２において使用可能な種々の品目および／もしくはサービスは、販売者の近傍（もしくはある範囲内）にユーザ１０２が来たときに、ユーザデバイス１２０を介してユーザ１０２に対して表示されてもよい。
【００２４】
一実施形態においては、販売者サーバもしくはデバイス１４０の各々は、市場アプリケーション１４４によって識別された品目および／もしくはサービスのユーザ１０２による、オンライン金融取引（例えば、購入取引）を容易にするように構成されうる、チェックアウトアプリケーション１４６を含んでもよい。このように、一態様においては、チェックアウトアプリケーション１４６は、ネットワーク１６０上のユーザ１０２からの支払情報を受け入れるように構成されてもよい。
【００２５】
一実施形態においては、販売者サーバもしくはデバイス１４０の各々は、少なくとも一つの販売者識別子１４８を含んでもよく、販売者識別子１４８は、例えば、特定の品目および／もしくはサービスが特定の販売者に対応付けられるように、購入用に利用可能にされた一つ以上の品目および／もしくはサービスの一部として含まれてもよい。ある実施においては、販売者識別子１４８は、ビジネスおよび金融機関情報などの、販売者に関連する一つ以上の属性および／もしくはパラメータを含んでもよい。ユーザ１０２は、ネットワーク１６０上のサービスプロバイダサーバ１８０を介して、各販売者サーバ１４０と、（例えば、品目および／もしくはサービス用の選択、監視、購入および／もしくは支払の提供などの）金融取引などの取引を実施してもよい。
【００２６】
一実施形態においては、サービスプロバイダサーバ１８０は、ユーザ１０２と一つ以上の販売者サーバ１４０との間の金融取引および／もしくは情報取引用の処理を提供しうる、取引処理エンティティによって維持されてもよい。このように、サービスプロバイダサーバ１８０は、サービスアプリケーション１８２を含み、サービスアプリケーション１８２は、一つ以上の販売者サーバ１４０からユーザ１０２によっての品目および／もしくはサービスの選択、購入および／もしくは支払を容易にするために、ネットワーク１６０上の各ユーザデバイス１２０および／もしくは各販売者サーバ１４０と対話するように適合されてもよい。一実施例においては、サービスプロバイダサーバ１８０は、ＰａｙＰａｌ，Ｉｎｃ．および／もしくはＳａｎＪｏｓｅ，Ｃａｌｉｆｏｒｎｉａ，ＵＳＡのｅＢａｙによって提供されてもよい。
【００２７】
一実施形態においては、サービスアプリケーション１８２は、ユーザ１０２と販売者サーバ１４０の各々との間の金融取引用の購入および／もしくは支払を処理するために支払処理モジュール１８４を利用する。ある実施においては、支払処理モジュール１８４は、有効化、弁済および決済を介して、金融取引の解決を援助する。このように、支払処理モジュール１８４と協働するサービスアプリケーション１８２は、ユーザ１０２と各販売者サーバ１４０との間の債務を決済し、口座は、金融産業によって受容される方法で、直接および／もしくは自動的に借方記入される、ならびに／または、通貨資金に貸方記入されてもよい。
【００２８】
一実施形態においては、サービスプロバイダサーバ１８０は、口座データベース１９２における一つ以上のユーザ口座および販売者口座を維持するように構成されてもよく、口座データベース１９２の各々は、一人以上の個々のユーザ（例えば、ユーザ１０２）および販売者（例えば、販売者サーバ１４０に対応付けられた一人以上の販売者）に対応付けられた口座情報１９４を含んでもよい。例えば、口座情報１９４は、各ユーザ１０２および一つ以上の販売者サーバ１４０に対応付けられた各販売者の個人的金融情報を含んでもよい。個人的金融情報は、一つ以上の口座番号、パスワード、クレジットカード情報、金融機関情報、もしくは、ユーザ１０２と販売者サーバ１４０に対応付けられた一人以上の販売者との間の金融取引を容易にするために利用されうる他のタイプの金融情報である。種々の態様においては、本明細書で記述された方法およびシステムは、少なくとも一つの既存のユーザ口座および／もしくは販売者口座に対応付けられることがあるか、または対応付けられることがないユーザおよび／もしくは販売者を考慮に入れるように改変されてもよい。
【００２９】
ある実施においては、ユーザ１０２は、サービスプロバイダサーバ１８０に格納された識別属性を有してもよく、ユーザ１０２は、サービスプロバイダサーバ１８０で認証するか、または検証するための信用証明を有してもよい。ユーザ属性は、前述されたように、個人情報、金融機関情報および／もしくは金融資源を含んでもよい。種々の態様においては、ユーザ属性は、ログイン、選択、購入および／もしくは支払要求の一部としてサービスプロバイダサーバ１８０へと伝送されてもよく、ユーザ属性は、サービスプロバイダサーバ１８０によって維持される一つ以上の特定のユーザ口座とユーザ１０２とを対応付けるために、サービスプロバイダサーバ１８０によって利用されてもよい。
【００３０】
図１の実施形態に関連して上述された取引システムは、ユーザデバイスを利用する取引の準備をして、容易にするために利用されてもよい。ユーザは、ユーザもしくはユーザデバイス近傍内の、販売者によって提供される在庫を閲覧してもよい。種々の実施形態においては、ユーザは販売者であってもよいし、購入者であってもよい。
【００３１】
図２Ａを参照して、本開示の一実施形態に従い、ユーザデバイスを利用して取引を容易にするためのフロー図が示される。一つ以上の実施形態に従い、図２Ａのフロー図は、図１のシステム１００によって実施されてもよい。
【００３２】
ブロック２０２においては、（図１にも関連する）ユーザ１０２が、サービスプロバイダサーバ１８０での既存の口座を有するとき、ユーザ１０２は上述されたようにサービスプロバイダサーバ１８０で格納された識別属性を有し、ユーザ１０２は、サービスプロバイダサーバ１８０からユーザデバイス１２０上に取引アプリケーションをダウンロードしてもよい。取引アプリケーションは、ユーザ１０２が販売者近傍に来た時に、ユーザデバイス１２０上に記載された在庫と対応付けられた販売者をユーザが見るか閲覧することを可能にしてもよい。一つ以上の実施形態においては、取引アプリケーションは、図２Ｂの実施形態に関連して以下により詳細に記述されるように、任意のユーザが販売者にもなり、販売用の品目および／もしくはサービスを含む在庫を提供することを可能にしてもよい。
【００３３】
ブロック２０４においては、ユーザ１０２は、取引アプリケーションをオン状態にして、在庫を記載するユーザ１０２近傍における販売者による一つ以上の提供を閲覧してもよい。一つ以上の実施形態に従い、ユーザ１０２は、例えば、ユーザ１０２が販売者からのある距離、領域もしくは半径内に来ると、または、ユーザ１０２があるホットスポットＷｉＦｉ、Ｂｕｌｅｔｏｏｔｈ範囲内などにいるとき、一人以上の販売者近傍にいる可能性がある。例えば、適切な近接度は、ユーザ１０２が、販売者からの約１００ヤード、５００ヤード、１０００ヤードなどに設定された半径内に来たとき、もしくは、ユーザ１０２が販売者位置の周辺もしくは前に立っているときであってもよい。
【００３４】
一つ以上の実施形態に従い、販売者は、品目および／もしくはサービスを提示価格、一つ以上の写真、説明、アイコンおよび／もしくは品目および／もしくはサービスの任意の適用可能な識別子とともに提供する、品目および／もしくはサービスを含む在庫を記載してもよい。一実施形態においては、ユーザデバイス１２０は販売者の在庫のデジタル表現を保持する。ユーザ１０２は、一つ以上の実施形態に従い、図３に関連してさらに詳細に記述されるように、販売者サーバもしくはデバイス１４０上に維持された提供された販売者の在庫を閲覧して、選択された品目および／もしくはサービスの購入を決定してもよい。
【００３５】
図２Ｂに関連して、本開示の一実施形態に従う、アドホックベースで販売用在庫をアップデートするためのフロー図が示される。ブロック２５２においては、例えば、アドホックベースで販売用の品目および／もしくはサービスを記載することを望むことがある任意の平均的ユーザは、販売者になるために取引アプリケーションを利用し、対応する価格、説明、写真、アイコンなどとともに販売用に提供される品目および／もしくはサービスをアップロードしてもよい。この点においては、当該ユーザは、品目および／もしくはサービスの識別用にグローバル変数を宣言し、例えば、ユーザは、一意的な識別子を有し、Ｌｏｃａｔｉｏｎ  ｓｅｒｖｉｃｅ（測位サービス）（“ＧｐｓＬｏｃ”）と同様にＵｎｉｑｕｅ  Ａｐｐｌｉｃａｔｉｏｎ  Ｉｄｅｎｔｉｆｉｅｒ（一意的アプリケーション識別子）（“ＵｎｉｑｕｅＡｐｐｌＩＤ”）などの変数を宣言してもよい。これらの二つの変数は、一実施例として以下の表１に示されるように、品目表上の主キーとして使用されてもよい。
【００３６】
一実施形態においては、任意の品目および／もしくはサービスの販売を望む任意のユーザは、単に、彼もしくは彼女のユーザデバイスで、当該品目および／もしくはサービスの写真（“ｉｍａｇｅ．ｐｎｇ”）を撮影して、当該品目および／もしくはサービスの説明（“ＩｔｅｍＤｅｓｃ”）と提示価格（“ＡｓｋＰｒｉｃｅ”）とを迅速に入力すればよい。その後、“ＵｎｉｑｕｅＡｐｐＩＤ”の一部もしくは全部を利用して、自己制御式インクリメント番号としてデータベース上の品目番号に追加することによって、Ｉｔｅｍ  Ｎｕｍｂｅｒ（品目番号）（“ＩｔｅｍＮｕｍ”）を生成してもよい。データベースは、結果に対してＡＤＤ／ＲＥＭＯＶＥおよびＱＵＥＲＹなどのビルトインコマンドを伴う特定フィールドを含むリストであってもよい。
【００３７】
品目番号は、ユーザ識別子、電話番号などのユーザデバイス識別子もしくは既知の ジオロケーションと同様、任意の他の識別子を含む、あらゆる適切な識別子に結合されてもよいことを理解されたい。すなわち、一意的な品目および／もしくはサービスは、アップロードされて、一意的なアプリケーション識別子およびジオロケーションを反映しうる品目番号にタグ付けされてもよい。一実施例においては、‘ＵｎｉｑｕｅＡｐｐＩＤ’＝‘１２３４５６’であって、ユーザが第一の品目を生成する場合には、‘ＩｔｅｍＮｕｍ’＝‘１２３４５６０００１’である。当該品目のこれらの６桁のうちの全てが、日付／タイムスタンプ、提示価格、品目説明、写真などと同様に、以下の表１に示されるような品目表へと追加されてもよい。
【表１】
2016103290.tif 000003
【００３８】
図２Ｂのブロック２５４においては、取引アプリケーションがロードされた第一のユーザデバイスを有するアドホック販売者として振る舞うユーザが他のアドホック販売者に接近するとき、もしくは、ロードされたアクティブな取引アプリケーションを有する任意の他のユーザデバイスのホットスポットＷｉＦｉもしくはＢｌｕｅｔｏｏｔｈ範囲などの、ある範囲内に来たとき、第一のユーザデバイス上の品目表上に記載された全品目は、ある範囲内の他の販売者の記載された品目と比較されてもよい。
【００３９】
ブロック２５６においては、一旦在庫が比較されると、任意の欠如した一意的な記録が追加されてもよい。第一のユーザデバイスは、その後、第一のユーザデバイスに属していない、購入用に利用可能な全品目および／もしくはサービスを表示し、ユーザが販売している品目および／もしくはサービスは、ユーザ自身の閲覧可能リストからフィルタで除かれてもよい。すなわち、第一のユーザデバイスの取引アプリケーションは、近傍の販売者の他のユーザデバイスによって記載された品目および／もしくはサービスに対応する各“ＩｔｅｍＮｕｍ”を比較して、当該品目および／もしくはサービスが第一のユーザデバイスの品目リストに存在しない場合には、当該品目および／もしくはサービスが、第一のユーザデバイスの品目リストに追加されてもよい。
【００４０】
ブロック２５８においては、第一のユーザデバイスが他の販売者の範囲内に来たとき、品目および／もしくはサービスのリストは、他の販売者の品目および／もしくはサービスでアップデートされてもよい。リストは、さらなる販売者の異なる範囲内にリストが展開する如何なるときにも、（例えば、バックグラウンドにおいて）継続的にアップデートされてもよい。
【００４１】
利用可能な品目および／もしくはサービスの在庫リストは、品目識別子に添付されたジオロケーションを伴う電話番号などの、品目識別子に基づいてユーザデバイスによって維持されてもよい。この方法においては、在庫は、例えば、州もしくは市などの単なる位置によってリストに記載されず、ユーザデバイス自体が閲覧したものを在庫リストが反映するように、各品目および／もしくはサービスは、ユーザデバイスが存在した位置もしくは存在する位置に基づいて記載される。
【００４２】
各ユーザデバイスに販売用の品目および／もしくはサービスに関するエントリを検索させて迅速にアップロードさせることによって、ネットワークは、例えば通常のＷＩＦＩアクセスポイントよりも大きい可能性のあるジオロケーションにおいて構築することができるようになる。ユーザが歩き回ると、リストは、一般的なＧＰＳ位置でさらに一意的な販売者を獲得してもよい。好都合なことに、あるユーザがオフラインであっても、例えば、あるユーザデバイスのバッテリーが切れていても、または、ユーザが自身のリストを頻繁に消去しても、または他の類似する状況においても、アドホック様ネットワークは、存続するか残存する可能性がある。
【００４３】
一つ以上の実施形態に従い、（例えば、上記の表１に示されたような）日付／タイムスタンプフィールドは、ユーザの個々の設定が保持しうるＴｉｍｅ  Ｔｏ  Ｌｉｖｅ（生存時間）（“ＴＴＬ”）状態を品目および／もしくはサービスが有することを可能にしてもよい。ユーザが、自身のＴＴＬをある期間（例えば決まった数時間もしくは数日間）に設定することを望む場合には、このことは、アドホック共有のより大きなネットワークに対してはほとんど影響を及ぼさない。種々の実施例においては、ユーザは、時間帯を設定して、品目および／もしくはサービスのリスト上のエントリが、２４時間経過したときに削除されるか、またはリストが完全にフラッシュされるようにしてもよい。
【００４４】
さらには、ユーザは、メモリなどのユーザデバイスを占めるスペースをどの程度にするかの制御が可能にされてもよい。品目および／もしくはサービスのリストをユーザが蓋をすることが可能になると、スマートフォンなどのより使い古されたユーザデバイスに対して便益を提供する。しかし、ユーザデバイスが進化するにつれて、スペースは増加し、例えばスマートフォンなどのユーザデバイスはＰＯＳ品目にさらに類似するようになる可能性がある。
【００４５】
一実施形態に従い、ユーザがある品目および／もしくはサービスの購入を望む場合、または、ユーザがアップデートされた情報の要求を望む場合には、ユーザは、適切な販売者の範囲内に入れるように、向かうべき方向を知らされてもよい。いったん範囲内に入ると、例えば、より高解像度の写真が得られてもよい。
【００４６】
一実施形態においては、取引アプリケーションは、測位サービスを伴うバックグラウンドにおいて実行してもよい。ユーザが歩き回ると、品目および／もしくはサービスのリストは、一意的なオプションを提供するようにアップデートされ、一意的なオプションは、ユーザが歩いて購入を決定してもよい。
【００４７】
本開示の一つ以上の実施形態に従い、取引アプリケーションは、第一のユーザデバイスが二組の在庫を持つことを可能にしてもよい。第一の在庫は、第一のユーザ（例えば、“ＲｏｏｔＵｓｅｒ（ルートユーザ）”もしくは第一のユーザデバイスの所有者）によって撮影された対応する写真および詳細を備えた全品目および／もしくはサービスを含んでもよい。第二の在庫は、全てのアドホック共有された非ルートユーザの品目および／もしくはサービスを含んでもよい。これらの二つの個別の在庫リストによって、取引アプリケーションを実行する任意のユーザは、自身の品目および／もしくはサービスをオン状態にしたりオフ状態にしたりしてもよいし、他人がオン状態にしたりオフ状態にした在庫リストを閲覧してもよい。
【００４８】
種々の実施形態においては、上述されたように、取引アプリケーションは、各ユーザデバイス上の全品目および／もしくはサービスが、全ユーザデバイスに対して同一リストであるように、例えば、アドホックベースで、品目および／もしくはサービスのリストを他のユーザデバイスへとユーザが通信することを可能にしてもよい。一実施形態に従う取引アプリケーションは、一意的な品目および／もしくはサービスのみが記載され、リスト上に重複が存在しないことを保証するために、例えば、単純な論理ゲートの集合を利用して、バックグラウンドにおいてデータを伝送しうるため、任意のユーザは一般的な位置においてアクティブな品目および／もしくはサービスのみを閲覧する。例示の目的のためであって限定する目的ではなく、このことはウェブサイトに接続して検索を行う何人かに類似する可能性があり、ウェブサイトは利用可能なデータを要求するようにサーバと接触してもよい。
【００４９】
再度図２Ａを参照して、ブロック２０６においては、ユーザ１０２が、販売者の提供を受け入れて、ユーザ１０２近傍の販売者によって提供されて選択された品目および／もしくはサービスを購入してその支払をすることを決定する場合に、取引の詳細がサービスプロバイダサーバ１８０へ伝送されてもよい。一実施形態においては、いったんユーザ１０２が選択された品目および／もしくはサービスを購入してその支払をすることを決定すると、サービスプロバイダサーバ１８０は支払を達成するために利用されてもよい。ログインスクリーンは、ユーザデバイス１２０のインターフェイス上に示されてもよく、ユーザ１０２は、サービスプロバイダサーバ１８０を有するユーザ自身の既存の口座にアクセスするために例えば、ユーザ名およびパスワードを入力することによってログインし、選択された品目および／もしくはサービス用の支払を行うことを選択してもよい。一実施形態においては、ユーザ１０２は、支払を完了する前に購入の詳細を再考して、例えば、資金源などの支払の取り決めを変更することを決定してもよい。例えば、ユーザ１０２は、資金源として特定のクレジットカードを選択してもよい。いったんユーザ１０２が購入の詳細を再考してそれに同意すると、ユーザ１０２は支払を完了する。
【００５０】
ブロック２０８においては、サービスプロバイダサーバ１８０は、取引を容易にし、ログをとり、取引用の領収書を提供してもよい。図１に関連して上述されたように、一つ以上の実施形態に従い、サービスプロバイダサーバ１８０は、支払処理モジュール１８４を介して取引を容易にし、ユーザ１０２と各販売者サーバ１４０との間の取引を処理する。ある実施においては、支払処理モジュール１８４は、有効化、弁済および決済を介して金融取引の解決を援助する。このように、支払処理モジュール１８４と協働するサービスアプリケーション１８２は、ユーザ１０２と各販売者サーバ１４０との間の債務を決済し、口座は、金融産業によって受容される方法で、直接および／もしくは自動的に借方記入される、ならびに／または、通貨資金に貸方記入されてもよい
【００５１】
図３を参照して、本開示の一実施形態に従う、ユーザデバイスのユーザインターフェイスを介して実施される取引のブロック図が示される。一つ以上の実施形態に従い、図１のユーザデバイス１２０は、例えば、ユーザインターフェイスアプリケーション１２２と対話しうる図３に示されたようなユーザインターフェイスを含むことがある。
【００５２】
ユーザが（図１にも関連する）サービスプロバイダサーバ１８０を有する既存の口座を有し、ユーザ１０２がサービスプロバイダサーバ１８０からユーザのユーザデバイス上の取引アプリケーションをダウンロードした場合には、ユーザ１０２は、販売者近傍にユーザ１０２が来たときに、ユーザデバイス１２０上に記載された在庫を有する販売者をユーザ１０２が見るか閲覧することを可能にするために、取引アプリケーションをオン状態にしてもよい。この点においては、図３の実施形態のブロック３０１においては、ユーザデバイスのユーザインターフェイス３０２は、領域における全販売者（例えば、販売者３０４：販売者Ａ、販売者Ｂ、販売者Ｃなど）の簡潔なリストを、当該販売者近傍にユーザが入ったときに表示してもよい。すなわち、ユーザが販売者３０４の近傍もしくはある半径内に来たとき、当該領域における販売者のリストがユーザインターフェイス３０２上に表示される。また、図２Ｂの実施形態に関連して上述されたように、ユーザ１０２は、アドホックベースで自身の在庫リストをアップロードすることが可能である。
【００５３】
ブロック３０３においては、ユーザは、領域における特定の記載された販売者を閲覧することを選択してもよい。例えば、ユーザは、対応する在庫を示すようにウインドウを拡大する販売者Ａを選択してもよい。販売者Ａの在庫は、販売者Ａによって提供されて利用可能な種々の品目および／もしくはサービス３１２を含んでもよい。
【００５４】
一実施形態においては、ユーザは、いったん一人が検出されると、領域内の販売者を通知されてもよい。逆に、販売者は、ユーザが近接位置にいるときにユーザの要求を通知されてもよい。
【００５５】
一つ以上の実施形態においては、ユーザは、町内のサーカス、コンサート、スポーツイベントなどの施設もしくはイベントへと出かけることがある。このような外出は、領域内に如何なる販売者が位置しているかを閲覧することをユーザに可能にするような取引アプリケーションを有するユーザにとっては、さらに容易になることがある。サービスプロバイダサーバ１８０に関連付けられた販売者（サーバプロバイダもしくはアクティブ取引アプリケーションでのアカウントを有する）は、当該ユーザに対して提供および在庫を表示してもよい。一実施例においては、ユーザは、任意の提供された在庫、即ち、当該イベント用の利用可能なチケットを見るために、スポーツイベントもしくはコンサートにおけるチケットカウンタへと出向くことがある。本実施例においては、最大収容人数に達していない場合に、ユーザは、入口もしくはｅチケットをユーザに販売しうるチケット係員のところへ行けばよい。別の実施例においては、バーの請求料金である“カバーチャージ”は、例えば、ユーザが勘定の支払を望むが、店に入るほど十分な現金を有していないときなどのために、サービスプロバイダサーバ１８０を介して取引されてもよい。このような場合、ユーザのユーザデバイス上にロードされた取引アプリケーションは、類似する任意の状況用の各取引を置換してもよい。
【００５６】
ブロック３０５においては、ユーザは、販売者Ａから特定の品目および／もしくはサービス（例えば品目／サービスＡ）を選択してもよい。ユーザインターフェイス３０２は、その後、例えば、品目／サービスＡの写真、説明および／もしくは価格を含む、品目／サービスＡについての詳細３１４を示すためにウインドウを拡大する。
【００５７】
一実施形態においては、例えば、ユーザが例えば入力３１７を選択することによって選択した品目に対する販売者の位置を突き止めることを任意で要求する場合に、販売者は、販売者の位置を表示するか、または販売者の位置をブロードキャストしてもよい。例えば、販売者Ａは、品目／サービスＡを選択するうえで位置をユーザが要求する場合には、販売者の位置を表示してもよい。
【００５８】
他の実施形態においては、販売者は、例えば、キャッチコピーもしくはフレーズ（すなわち、シャウトアウト）の記載によってある品目および／もしくは製品を宣伝してもよい。例えば、“Ｇｅｔｙｏｕｒ Ｐｏｐｃｏｒｎ ｈｅｒｅ！”などのキャッチコピーもしくはフレーズは、ユーザがそれを選択した場合に、ユーザインターフェイス３０２上にポップアップ通知として表示されてもよい。すなわち、ユーザが閲覧することを選択した場合、オンライン広告が領域内の販売者から表示されてもよい。
【００５９】
ブロック３０７においては、ユーザは、品目／サービスＡを再考して購入を決定し、支払を進めるために、“ＰＡＹ”とラベル付けされた入力３１５を選択してもよい。
【００６０】
ブロック３０９においては、ユーザは、サービスプロバイダサーバ１８０にログインして、ユーザ名３１８およびパスワード３１９などの認証証明を提供してもよい。しかしながら、任意の適切な認証証明は、サービスプロバイダ１８０によって維持されたユーザ口座とユーザを対応付けるために適切なように利用されてもよい。任意で、ユーザは、購入の詳細を再考して、例えば、参照番号３２１によって示されるような異なるクレジットカードなどの異なる資金源を選ぶことを選択してもよい。いったんユーザが取引を再考して、承認すると、ユーザは、“ＢｕｙＮｏｗ（今、購入する）”とラベル付けされたインターフェイス３２２を選択することによって取引を完了してもよい。
【００６１】
任意で、同意は各取引の前に承認され、あらゆる取引、例えば、取引アプリケーションを介してなされた購入は、任意の購入者保護、保険もしくは保証によって保護される可能性がある。
【００６２】
ブロック３１１においては、ユーザインターフェイス３０２は、品目／サービスＡの購入が完了したことを示す。任意で、小計、税額および合計が表示されてもよい。
【００６３】
図３の実施形態に関連して本明細書で図示されたユーザインターフェイス３０２上の入力は、所望の目的に適したように、任意の適切なラベルでラベル付けされてもよいことを理解されたい。また、ユーザインターフェイス３０２は、ボタン、タッチスクリーン、キーパッド、キーボード、音声認識もしくは他の適切な入力デバイスなどの、データ入力用もしくは選択用の任意の適切なインターフェイスもしくは入力を表示するかまたは利用してもよい。
【００６４】
一つ以上の実施形態に従い、サービスプロバイダからの取引アプリケーションを有する全ユーザは、ユーザの口座上で何の動作も必要とされずに購入者として振る舞ってもよいし、いったんダウンロードされた利用可能な提供された品目を購入するために取引アプリケーションを利用することができる。他の実施形態においては、ユーザは販売者として振る舞う可能性もある。
【００６５】
取引アプリケーションを介して在庫を提供する販売者は、可能性のあるリスクを検出するために、サービスプロバイダによる再考用にモバイルビジネスプランおよび在庫を提示してもよい。したがって、取引アプリケーションは、ユーザの位置するまさにその位置から、上述されたように、サービスプロバイダに対応付けられた販売者と取引することを安全かつ容易にする。さらには、ユーザもしくは購入者は販売者の前に立ち、支払を送信することはユーザの意識的判断であるため、例えば、受領書のない場合の請求は必要とされず、ユーザにとって利用可能ではない。また、ユーザもしくは購入者は、ユーザが現金取引の速度で合意した品目および／もしくはサービス用の少ない現金様の支払を移してもよい。
【００６６】
図４は、本開示の実施形態を実現するのに適切なシステム４００のブロック図であり、ユーザデバイス１２０、一つ以上の販売者サーバもしくはデバイス１４０、サービスプロバイダサーバもしくはデバイス１８０を含む。携帯電話、移動電話、スマートフォン、パーソナルコンピュータ、および／もしくはネットワークサーバの一部としてなどのシステム４００は、バス４０２もしくは情報を通信するための他の通信機構を含み、バス４０２もしくは他の通信機構は、一つ以上のプロセッシングコンポーネント４０４（例えば、プロセッサ、マイクロコントローラ、デジタル信号プロセッサ（ＤＳＰ）など）、システムメモリコンポーネント４０６（例えば、ＲＡＭ）、静的記憶コンポーネント４０８（例えば、ＲＯＭ）、ネットワークインターフェイスコンポーネント４１２、ディスプレイコンポーネント（またはその代わりに外部ディスプレイに対するインターフェイス）、入力コンポーネント４１６（例えば、キーパッドもしくはキーボード）およびカーソル制御コンポーネント４１８（例えばマウスパッド）を含むコンポーネントとサブシステムとを相互接続する。
【００６７】
本開示の実施形態に従い、システム４００は、システムメモリコンポーネント４０６に含まれる一つ以上の命令の一つ以上のシーケンスを実行するプロセッサ４０４によって特定の動作を実施する。当該命令は、静的記憶コンポーネント４０８などの別のコンピュータ可読媒体からシステムメモリコンポーネント４０６へと読み出されてもよい。これらは、金融取引を処理するため、支払を行うためなどの命令を含んでもよい。他の実施形態においては、ハードワイヤード回路は、本開示の一つ以上の実施形態の実施のために、ソフトウェア命令の代わりに、もしくはソフトウェア命令と組み合わせて使用されてもよい。
【００６８】
論理は、非一時的コンピュータ可読媒体においてエンコードされ、非一時的コンピュータ可読媒体は、実行用のプロセッサ４０４への命令の提供に参加する任意の媒体のことを称する。このような媒体は、不揮発性媒体、揮発性媒体および伝送媒体を含む多数の形式をとることがあるが、そのいずれにも限定はされない。種々の実施においては、揮発性媒体は、システムメモリコンポーネント４０６などの動的メモリを含み、伝送媒体は、バス４０２を含む導線を含む、同軸ケーブル、銅線、光ファイバを含む。メモリは、支払もしくは取引用の異なるオプションの視覚的表現を格納するために使用されてもよい。一実施例においては、伝送媒体は、ラジオ波および赤外線データ通信間に生成されるような音波もしくは光波の形式をとってもよい。コンピュータ可動媒体の幾つかの一般的形式は、例えば、ＲＡＭ、ＰＲＯＭ、ＥＰＲＯＭ、ＦＬＡＳＨ−ＥＰＲＯＭ、任意の他のメモリチップもしくはカートリッジ、キャリア波、もしくはコンピュータが読み出すように適合された任意の他の媒体を含む。
【００６９】
本開示の種々の実施形態においては、本開示を実践するための命令シーケンスの実行は、システム４００によって実施されてもよい。種々の他の実施形態においては、通信リンク４２０（例えば、図１のネットワーク１６０、ＬＡＮ、ＷＬＡＮ、ＰＴＳＮ、もしくは種々の他の有線もしくはワイヤレスネットワーク）によって結合された複数のシステム４００は、お互いに協調して本開示を実践するための命令シーケンスを実施してもよい。システム４００は、通信リンク４２０および通信インターフェイス４１２を介して一つ以上のプログラム（すなわち、アプリケーションコード）を含むメッセージ、データ、情報および命令を送信してもよい。受信されたプログラムコードは、実行用にディスクドライブコンポーネント４１０もしくは幾つかの他の不揮発性記憶コンポーネントに受信されると、ならびに／または、格納されると、プロセッサ４０４によって実行されてもよい。
【００７０】
本開示の観点では、種々の方法およびシステムは、ユーザ近傍における販売者によって提供された在庫をユーザが閲覧することを可能にし、同様に、最小限のキー入力でユーザデバイス上の当該在庫に関連する取引用の支払オプションを容易にする、一つ以上の実施形態に従って記述されてきたことを理解されたい。
【００７１】
種々のコンポーネントおよびステップは、図１のユーザデバイス１２０、販売者サーバ１４０、支払サービスプロバイダサーバ１８０に関連するものとして本明細書で記述されてきたが、図１に示された当該サーバの種々の態様は、複数のサーバ、デバイスおよび／もしくはエンティティの間で分散されてもよいと予想される。
【００７２】
適用可能な場合には、本開示によって提供された種々の実施形態は、ハードウェア、ソフトウェア、もしくはハードウェアとソフトウェアの組み合わせを利用して実現されてもよい。また、適用可能な場合には、本明細書で説明された種々のハードウェアコンポーネントおよび／もしくはソフトウェアコンポーネントは、本開示の趣旨から逸脱することなく、ソフトウェア、ハードウェアおよび／もしくはその双方を含む合成コンポーネントへと組み合わせられてもよい。適用可能な場合には、本明細書で説明された種々のハードウェアコンポーネントおよび／もしくはソフトウェアコンポーネントは、本開示の趣旨から逸脱することなく、ソフトウェア、ハードウェアおよび／もしくはその双方を含むサブコンポーネントへと分離されてもよい。さらには、適用可能な場合には、ソフトウェアコンポーネントは、ハードウェアコンポーネントとして実現されてもよいし、逆にハードウェアコンポーネントがソフトウェアコンポーネントとして実現されてもよいことが予想される。
【００７３】
プログラムコードおよび／もしくはデータなどの本開示に従うソフトウェアは、一つ以上のコンピュータ可読媒体に格納されてもよい。本明細書で同定されたソフトウェアは、一つ以上の汎用もしくは専用コンピュータおよび／もしくはコンピュータシステム、ネットワーク化その他を利用して実現されてもよいことが予想される。適用可能な場合には、本明細書で記述された種々のステップの順序は変更されてもよいし、合成ステップへと組み合わせられてもよいし、ならびに／または、本明細書で記述された特徴を提供するためにサブステップへと分離されてもよい。
【００７４】
前述の開示は、開示されたまさにその形式もしくは特定の利用分野へと本開示を限定することを意図するものではない。本開示に対する種々の代替の実施形態および／もしくは改変は、本明細書に明確に記述されているか、もしくは暗示されているかに関わらず、本開示の観点から可能であることが予想される。
【００７５】
本開示の実施形態を以上のように記述してきたが、当業者は、本開示の範囲を逸脱することなく変形が形式および詳細においてなされることがあることを理解するであろう。したがって、本開示は請求項によってのみ限定される。
【図１】
2016103290.tif 000004
【図２Ａ】
2016103290.tif 000005
【図２Ｂ】
2016103290.tif 000006
【図３】
2016103290.tif 000007
【図４】
2016103290.tif 000008